(57)【要約】      （修正有）【課題】除湿機により台風雲の生起・移動・消滅の制御を運用するエコロジー処理コンピュータ台風対策飛行船を提供する。【解決手段】ＧＰＳ航法台風ガイド５により情報化された雨や雷などの台風雲６に雲４を吸い込む除湿機吸い込み口３を有する除湿機２を搭載の飛行船１で、電波時計９と１００万分の１秒高速度カメラ８で地上台風被害市街地７の上空を情報化運用し、雲の生起・移動・消滅により晴・曇・雨とするものである。【選択図】図１
0003160468.tif 000002
【実用新案登録請求の範囲】
【請求項１】
除湿機を搭載した飛行船エコロジー処理コンピュータ台風。
【請求項２】
ＧＰＳ航法台風ガイドを具備する事を特徴とする請求項１記載のエコロジー処理コンピュータ台風。
【請求項３】
１００万分の１秒高速度カメラを具備する事を特徴とする請求項１記載のエコロジー処理コンピュータ台風。
【請求項４】
電波時計を具備する事を特徴とする請求項１記載のエコロジー処理コンピュータ台風。
【考案の詳細な説明】
【技術分野】
【０００１】
本考案は、従来のエコロジー処理コンピュータ台風としての除湿機による台風雲制御エコロジー処理コンピュータ台風に関する。
【背景技術】
【０００２】
人工衛星ひまわりによる雨や雷などの台風雲情報化エコロジー処理コンピュータ台風です。
【考案の開示】
【考案が解決しようとする課題】
【０００３】
しかしながら、人工衛星ひまわりによる台風雲情報化エコロジー処理コンピュータ台風では、情報化までで、台風雲を制御できないという欠点がある。
【０００４】
本考案は、上記実情に鑑みてなされたものであり、除湿機により、台風雲の生起・移動・消滅の制御をする事を目的としている。
【課題を解決するための手段】
【０００５】
上記目的を達成するため考案は、除湿機を情報化された台風雲制御に運用する手段を有することであり、次の構成を含むことを特徴としている。
ＧＰＳ航法台風ガイド（宇宙の人工衛星３個の電波を利用して、台風雲の位置を知り）による雨や雷などの台風雲を生起・移動・消滅制御する除湿機を搭載する飛行船の運用によるものである。
【考案の効果】
【０００６】
本考案により、地上台風被害市街地上空の雨や雷などの台風雲の生起・移動・消滅を電波時計による同時に１００万分の１秒高速度カメラによる情報化で制御する事ができる。
【考案を実施するための最良の形態】
【０００７】
本考案の実施の形態の一例について、図面を参照しながら説明する。
エコロジー処理コンピュータ台風は図１に示すように、ＧＰＳ航法台風ガイド５、により情報化された雨や雷などの台風雲６、に、雲４、を吸い込む除湿機吸い込み口３、を有する除湿機２、を塔載の飛行船１、で電波時計９、と１００万分の１秒高速度カメラ８、で地上台風被害市街地７、の上空を情報化運用するものである。
【図面の簡単な説明】
【０００８】
【図１】本考案のエコロジー処理コンピュータ台風を示す図である。
【符号の説明】
【０００９】
１          飛行船（除湿機塔載）
２          除湿機
３          除湿機吸い込み口
４          雲
５          ＧＰＳ航法台風ガイド
６          雨や雷などの台風雲
７          地上台風被害市街地
８          １００万分の１秒高速度カメラ
９          電波時計
【図１】
0003160468.tif 000003
【手続補正書】
【提出日】平成20年12月5日(2008.12.5)
【手続補正１】
【補正対象書類名】実用新案登録請求の範囲
【補正対象項目名】全文
【補正方法】変更
【補正の内容】
【実用新案登録請求の範囲】
【請求項１】
台風雲の生起・移動・消滅を制御する除湿機を搭載した飛行船エコロジー処理コンピュータ台風機。
【請求項２】
ＧＰＳ航法システムを具備する事を特徴とする請求項１記載のエコロジー処理コンピュータ台風機。
【請求項３】
除湿機の台風雲にねらいを決める情報化装置１００万分の１秒高速度カメラを具備する事を特徴とする請求項１記載のエコロジー処理コンピュータ台風機。
【請求項４】
ＧＰＳ航法システムとの同時性を創る電波時計を具備する事を特徴とする請求項１記載のエコロジー処理コンピュータ台風機。
【手続補正２】
【補正対象書類名】明細書
【補正対象項目名】全文
【補正方法】変更
【補正の内容】
【考案の詳細な説明】
【技術分野】
【０００１】  本考案は、従来のエコロジー処理コンピュータ台風機としての除湿機による台風雲制御エコロジー処理コンピュータ台風機に関する。
【背景技術】
【０００２】  人工衛星ひまわりによる雨や雷などの台風雲情報化エコロジー処理コンピュータ台風機です。
【考案の開示】
【考案が解決しようとする課題】
【０００３】  しかしながら、人工衛星ひまわりによる台風雲情報化エコロジー処理コンピュータ台風機では、情報化までで、台風雲を制御できないという欠点がある。【０００４】  本考案は、上記実情に鑑みてなされたものであり、除湿機により、台風雲の生起・移動・消滅の制御をする事を目的としている。
【課題を解決するための手段】
【０００５】  上記目的を達成するため考案は、除湿機を情報化された台風雲制御に運用する手段を有することであり、次の構成を含むことを特徴としている。  ＧＰＳ航法システム（宇宙の人工衛星３個の電波を利用して、台風雲の位置を知り）による雨や雷などの台風雲を生起・移動・消滅制御する除湿機を搭載する飛行船の運用によるものである。
【考案の効果】
【０００６】  本考案により、地上台風被害市街地上空の雨や雷などの台風雲の生起・移動・消滅を電波時計による同時に１００万分の１秒高速度カメラによる情報化で制御する事ができる。
【考案を実施するための最良の形態】
【０００７】  本考案の実施の形態の一例について、図面を参照しながら説明する。  エコロジー処理コンピュータ台風機は図１に示すように、ＧＰＳ航法システム５、により情報化された雨や雷などの台風雲６、に、雲４、を吸い込む除湿機吸い込み口３、を有する除湿機２、を塔載の飛行船１、で電波時計９、と１００万分の１秒高速度カメラ８、で地上台風被害市街地７、の上空を情報化運用するものである。
【図面の簡単な説明】
【０００８】
【図１】本考案のエコロジー処理コンピュータ台風機を示す図である。
【符号の説明】
【０００９】  １          飛行船（除湿機とＧＰＳ航法システム塔載）  ２          除湿機  ３          除湿機吸い込み口  ４          雲  ５          ＧＰＳ航法システム  ６          雨や雷などの台風雲  ７          地上台風被害市街地  ８          １００万分の１秒高速度カメラ  ９          電波時計
【手続補正書】
【提出日】平成21年2月20日(2009.2.20)
【手続補正１】
【補正対象書類名】明細書
【補正対象項目名】全文
【補正方法】変更
【補正の内容】
【考案の詳細な説明】
【技術分野】
【０００１】本考案は、従来のエコロジー処理コンピュータ台風対策飛行船としての除湿機による台風雲制御エコロジー処理コンピュータ台風対策飛行船に関する。
【背景技術】
【０００２】人工衛星ひまわりによる雨や雷などの台風雲情報化エコロジー処理コンピュータ台風対策飛行船。
【考案の開示】
【考案が解決しようとする課題】
【０００３】しかしながら、人工衛星ひまわりによる台風雲情報化エコロジー処理コンピュータ台風対策飛行船では、情報化までで、台風雲を制御できないという欠点がある。【０００４】  本考案は、上記実情に鑑みてなされたものであり、除湿機に台風雲の一部を吸い取り台風雲の形状変化による新しい雲の形を生起・移動・消滅の制御をする事を目的としている。
【課題を解決するための手段】
【０００５】上記目的を達成するため考案は、除湿機の吸い込み口から台風雲の一部を吸い込み台風雲制御の運用する手段を有することであり、次の構成を含むことを特徴としている。ＧＰＳ航法システム（宇宙の人工衛星３個の電波を利用して、自分の位置を飛行船が知り台風雲の位置と整合する）コンピュータ運用による除湿機により雨や雷などの台風雲の一部を吸い取る新しい雲の生起・移動・消滅するために塔載している飛行船の運用によるものである。
【考案の効果】
【０００６】本考案により、地上台風被害市街地上空の雨や雷などの台風雲の一部を吸い込み新しい雲の生起・移動・消滅を電波時計による同時に１００万分の１秒高速度カメラによる情報化で制御する事ができる。
【考案を実施するための最良の形態】
【０００７】本考案の実施の形態の一例について、図面を参照しながら説明する。エコロジー処理コンピュータ台風対策飛行船は図１に示すように、ＧＰＳ航法システム５、により位置を知った飛行船塔載の除湿機吸い込み口３、が雨や雷などの台風雲６、に整合し、雲４、を吸い込み地上台風被害市街地７、の上空を１００万分の１秒高速度カメラで４，６の情報化電波時計９、で飛行船１、と塔載の５、と除湿機２、のコンピュータ化を計るもの。
【図面の簡単な説明】
【０００８】
【図１】本考案のエコロジー処理コンピュータ台風対策飛行船を示す図である。除湿機とＧＰＳ航法システムとその運用コンピュータ塔載飛行船１、雨や雷などの台風雲６、除湿機吸い込み口３、により吸い込まれる雲４、除湿機２、ＧＰＳ航法システム５、地上台風被害市街地７、１００万分の１秒高速度カメラ８、電波時計９、です。
【符号の説明】
【０００９】  １          飛行船（除湿機とＧＰＳ航法システムとその運用コンピュータ塔載）  ２          除湿機  ３          除湿機吸い込み口  ４          雲  ５          ＧＰＳ航法システム  ６          雨や雷などの台風雲  ７          地上台風被害市街地  ８          １００万分の１秒高速度カメラ  ９          電波時計
【手続補正２】
【補正対象書類名】実用新案登録請求の範囲
【補正対象項目名】全文
【補正方法】変更
【補正の内容】
【実用新案登録請求の範囲】
【請求項１】
台風雲の一部を除湿機で吸い取りその形状変化により新しい雲の形を作る雲の生起・移動・消滅を制御し、コンピュータ運用による情報処理の除湿機搭載エコロジー処理コンピュータ台風対策飛行船。
【請求項２】
ＧＰＳ航法システムにより自分の位置を知る飛行船が台風雲との位置を整合するためＧＰＳ航法システムを具備する事を特徴とする請求項１記載のエコロジー処理コンピュータ台風対策飛行船。
【請求項３】
太陽エネルギーによる生物学的仕事の情報化桜前線を代表して他にもエネルギー一定のエネルギー・フィールドに於ける移相制御の生物学、化学、物理学、地学的仕事の情報化をエコロジー処理と呼んで、コンピュータ化するための１００万分の１秒高速度カメラを具備する事を特徴とする請求項１記載のエコロジー処理コンピュータ台風対策飛行船。
【請求項４】
ＧＰＳ航法システムとのコンピュータ化を計る電波時計を具備する事を特徴とする請求項１記載のエコロジー処理コンピュータ台風対策飛行船
【手続補正書】
【提出日】平成21年4月15日(2009.4.15)
【手続補正１】
【補正対象書類名】実用新案登録請求の範囲
【補正対象項目名】全文
【補正方法】変更
【補正の内容】
【実用新案登録請求の範囲】
【請求項１】
台風雲の一部を銅板を冷媒クロロホルムで冷却する露天検出装置又は冷媒R１２の冷蔵庫の原理で作った除湿機で吸い取りその温度差が作る過飽和状態の湿気が水滴化して、その形状変化により期待の温度密度変化が新しい雲の形を作る雲の生起・移動・消滅を制御する1台又は複数の除湿機の処理制御をするコンピュータ運用による除湿機搭載エコロジー処理コンピュータ台風対策飛行船。
【請求項２】
ＧＰＳ航法システムにより自分の位置を知る飛行船が台風雲との位置を整合するためのＧＰＳ航法システムを具備する事を特徴とする請求項１記載のエコロジー処理コンピュータ台風対策飛行船。
【請求項３】
Ｃ．Ｇ合成の絵による桜の開花をシミュレーションとして情報化してきた情報処理コンピュータ、その情報を使用して太陽エネルギー制御による生物学的仕事をさせて日本列島に於ける情報化を桜前線と呼びこの環境技術の向上まで含めてエコロジー処理コンピュータを称します。他にもエネルギー一定のエネルギー・フィールドに於ける移相制御の情報化を生物学、化学、物理学、地学的仕事の情報化をエコロジー処理と呼んで時間制御のコンピュータ化するため100万分の１秒高速度カメラを具備する事を特徴とする請求項1記載のエコロジー処理コンピュータ台風対策飛行機。
【請求項４】
ＧＰＳ航法システムの時間制御整合に電波時計を具備してコンピュータ化する事を特徴とする請求項１記載のエコロジー処理コンピュータ台風対策飛行機。
ここで、前述の環境技術の向上に地球環境ＣＯ２温暖化対策他が含まれます。
【手続補正書】
【提出日】平成21年6月16日(2009.6.16)
【手続補正１】
【補正対象書類名】実用新案登録請求の範囲
【補正対象項目名】全文
【補正方法】変更
【補正の内容】
【実用新案登録請求の範囲】
【請求項１】
銅版を冷媒クロロホルムで冷却する露点検出装置又は冷媒Ｒ１２の冷蔵庫の原理で作った除湿機で台風雲の一部を吸い取りその温度差が作る過飽和状態の湿気が水滴化して、その台風雲の形状変化により期待の温度密度変化で新しい雲の形を作る雲の生起・移動・消滅を１台又は複数の除湿機で処理のコンピュータ運用による除湿機搭載エコロジー処理コンピュータ台風対策飛行船。
【請求項２】
ＧＰＳ航法システムにより自分の位置を知る飛行船が台風雲との位置を整合するためＧＰＳ航法システムを具備する事を特徴とする請求項１記載のエコロジー処理コンピュータ台風対策飛行船。
【請求項３】
Ｃ.Ｇ.合成の絵による桜の開花をシュミレーションとして情報化してきた情報処理コンピュータ、その情報を使用して太陽エネルギー制御による温室のように生物学的仕事をさせて日本列島に於ける情報化の桜前線とするための環境技術の向上までふくめてエコロジー処理コンピュータと呼び、一般化として一定エネルギー一定のエネルギー・フィールドに於ける移相制御の情報化である生物学、化学、物理学、地学的仕事の情報化をエコロジー処理と呼んで時間制御のコンピュータ化するため１００万分の１秒高速度カメラを具備する事を特徴とする請求項１記載のエコロジー処理コンピュータ台風対策飛行船。
【請求項４】
ＧＰＳ航法システムの時間制御整合に電波時計を具備したコンピュータを具備する事を特徴とする請求項１記載のエコロジー処理コンピュータ台風対策飛行船。
【手続補正書】
【提出日】平成21年8月14日(2009.8.14)
【手続補正１】
【補正対象書類名】実用新案登録請求の範囲
【補正対象項目名】請求項１
【補正方法】変更
【補正の内容】
【請求項１】
銅版を冷媒クロロホルムで冷却する露点検出装置又は冷媒Ｒ１２の冷蔵庫の原理で作った除湿機で台風雲の一部を吸い取りその温度差が作る過飽和状態の湿気が水滴化して、その台風雲の形状変化により期待の温度密度変化で新しい雲の形を作る雲の生起・移動・消滅を１台又は複数の除湿機で構成したその制御系の考案としてコンピュータ運用による除湿機搭載エコロジー処理コンピュータ台風対策飛行船。
【手続補正２】
【補正対象書類名】実用新案登録請求の範囲
【補正対象項目名】請求項３
【補正方法】変更
【補正の内容】
【請求項３】
Ｃ.Ｇ.合成の絵による桜の開花をシュミレーションとして情報化してきた情報処理コンピュータ、その情報を使用して太陽エネルギーの利用による温室のように桜の開花の時間制御の生物学的仕事をさせて日本列島に於ける情報化の桜前線とするための環境技術の向上までふくめてエコロジー処理コンピュータと呼び、エネルギー一定のエネルギー・フィールドに於ける移相制御の情報化である生物学、化学、物理学、地学的仕事の情報化をエコロジー処理と呼んで時間制御のコンピュータ化するため１００万分の１秒高速度カメラを具備する事を特徴とする請求項１記載のエコロジー処理コンピュータ台風対策飛行船。
【手続補正書】
【提出日】平成21年10月14日(2009.10.14)
【手続補正１】
【補正対象書類名】実用新案登録請求の範囲
【補正対象項目名】請求項１
【補正方法】変更
【補正の内容】
【請求項１】
ＣＧ合成の動画によるチューリップの開花をシュミレーションとしてエネルギー一定のエネルギー・フィールドに於ける移相制御の情報化してきた情報処理コンピュータ、その情報を使用する事により環境技術の向上として太陽エネルギーの利用による温室のように大気エネルギーを扉開閉等による温・湿度時間制御を追加してチューリップの開花の動画アナロジー制御により自然花開花の生物学的仕事エコロジーの処理を果しますが、情報処理コンピュータに追加した環境技術の向上のエネルギー制御デバイス（発明・工夫・装置・わな・仕掛け）による生物学、化学、物理学、地学的仕事の情報化をエコロジー処理コンピュータと呼ぶ事にするため、ここに台風雲の形状変化（新しい形の雲が生起・移動・消滅するのも含めて）をシュミレーションしてきた情報処理コンピュータに於ける情報を使用する事により環境技術の向上として銅板を冷媒クロロホルムで冷却する露点検出装置又は冷媒Ｒ１２の冷蔵庫の原理で作った除湿機で吸い込む台風雲の形状変化により期待の温度密度変化で新しい雲の形を作る雲の生起・移動・消滅を１台又は複数の除湿機で構成したその制御系と情報化としてコンピュータ化した１台又は複数の除湿機を塔載した飛行機の動きのエネルギー制御をケシゴムつきえんぴつのようにくっつけて台風雲形状変化の動画アナロジー制御に」より台風雲の形状変化実験の物理学、化学的仕事エコロジーの処理を果たすエコロジー処理コンピュータ台風対策飛行機。
【手続補正２】
【補正対象書類名】実用新案登録請求の範囲
【補正対象項目名】請求項３
【補正方法】変更
【補正の内容】
【請求項３】
情報処理コンピュータにその情報を使って環境技術の向上を計り生物学、化学、物理学、地学的仕事エコロジーの処理を果すエネルギー制御デバイスを結合させエコロジー処理の情報化デバイス時間制御のコンピュータ化するための１００万分の１秒高速度カメラを具備する事を特徴とする請求項１記載のエコロジー処理コンピュータ台風対策飛行機。
【手続補正書】
【提出日】平成21年11月20日(2009.11.20)
【手続補正１】
【補正対象書類名】実用新案登録請求の範囲
【補正対象項目名】請求項１
【補正方法】変更
【補正の内容】
【請求項１】
ＣＧ合成の動画によるチューリップの開花をシミュレーションとしてきた情報処理コンピュータ。その情報を使用する事により環境技術の向上として太陽エネルギーの利用による温室のように扉開閉等による温・湿度時間制御でするエネルギー制御デバイスを追加してチューリップの開花の動画アナロジー制御により自然開花の生物学的仕事エコロジーの処理を果しますが、情報処理コンピュータに追加した環境技術の向上として銅板を冷媒クロロホルムで冷却する露点検出装置又は冷媒Ｒ１２の冷蔵庫の原理で作った除湿機で吸い込む台風雲の形状変化により期待の温度密度変化で新しい雲の形を作る雲の生起・移動・消滅を１台又は複数の除湿機を塔載した飛行機の動きのエネルギー制御デバイスをケシゴムつきえんぴつのようにくっつけて台風雲形状変化の動画アナロジー制御により台風雲の形状変化実験の物理学、化学的仕事エコロジーの処理を果たす飛行機のエネルギー制御デバイスと共にエコロジー処理コンピュータを構成するエコロジー処理コンピュータ台風対策飛行機。
【手続補正書】
【提出日】平成22年1月8日(2010.1.8)
【手続補正１】
【補正対象書類名】実用新案登録請求の範囲
【補正対象項目名】請求項１
【補正方法】変更
【補正の内容】
【請求項１】
銅板を冷媒クロロホルムで冷却する露点検出装置又は冷媒Ｒ１２の冷蔵庫の原理で作った除湿機でそれを搭載している例えばＦ−３５飛行機まで含めたエネルギー制御をコンピュータコントロールする事によりエコロジーとしての台風雲形状の変化をテストする吸い込みのエコロジー処理コンピュータを構成するエコロジー処理コンピュータ台風対策飛行機。
【手続補正書】
【提出日】平成22年3月2日(2010.3.2)
【手続補正１】
【補正対象書類名】実用新案登録請求の範囲
【補正対象項目名】請求項１
【補正方法】変更
【補正の内容】
【請求項１】
銅板を冷媒クロロホルムで冷却する露点検出装置又は冷媒Ｒ１２の冷蔵庫の原理で作った除湿機を搭載している飛行機に一体化したコンピュータコントロールによりエコロジーとしての台風雲形状の変化をテスト観測するため除湿機の雲の吸い込みに用いるエネルギー制御をしてエコロジー処理コンピュータを構成するエコロジー処理コンピュータ台風対策飛行船。
【手続補正２】
【補正対象書類名】実用新案登録請求の範囲
【補正対象項目名】請求項３
【補正方法】変更
【補正の内容】
【請求項３】
情報処理コンピュータにその情報を使って環境技術の向上を計り生物学、化学、物理学、地学的仕事エコロジーの処理を果すエネルギー制御デバイスを結合させエコロジー処理の情報化デバイス時間制御のコンピュータ化するための１００万分の１秒高速度カメラを具備する事を特徴とする請求項１記載のエコロジー処理コンピュータ台風対策飛行船。
【手続補正書】
【提出日】平成22年4月15日(2010.4.15)
【手続補正１】
【補正対象書類名】手続補正書
【補正対象項目名】手続補正１
【補正方法】変更
【補正の内容】
【手続補正１】
【補正対象書類名】実用新案登録請求の範囲
【補正対象項目名】請求項１
【補正方法】変更
【補正の内容】
【請求項１】
銅板を冷媒クロロホルムで冷却する露点検出装置又は冷媒Ｒ１２の冷蔵庫の原理で作った除湿機を搭載している飛行船に一体化したコンピュータコントロールによりエコロジーとしての台風雲形状の変化をテスト観測するため除湿機の雲の吸い込みに用いるエネルギー制御をしてエコロジー処理コンピュータを構成するエコロジー処理コンピュータ台風対策飛行船。
【手続補正２】
【補正対象書類名】手続補正書
【補正対象項目名】手続補正２
【補正方法】変更
【補正の内容】
【手続補正２】
【補正対象書類名】実用新案登録請求の範囲
【補正対象項目名】請求項３
【補正方法】変更
【補正の内容】
【請求項３】
情報処理コンピュータにその情報を使って環境技術の向上を計り生物学、化学、物理学、地学的仕事エコロジーの処理を果すエネルギー制御デバイスを結合させエコロジー処理の情報化デバイス時間制御のコンピュータ化するための１００万分の１秒高速度カメラを具備する事を特徴とする請求項１記載のエコロジー処理コンピュータ台風対策飛行船。